(57)【要約】  本開示はフライホイール２０に駆動連結された電気モータを備える電気パルス工具１００に関する。電気パルス工具１００は、駆動要素４０に駆動連結された出力シャフト３０を更に備える。電気パルス工具１００は、更に圧縮ばね５０を備え、これによって、電気パルス工具１００が、フライホイール２０を第１及び第２方向に往復動させるように作動する。フライホイール２０は、駆動要素４０を第１の方向に駆動させ、出力シャフト３０にトルクパルスを第１方向に提供するように構成され、これによって駆動要素４０が圧縮ばね５０を圧縮するように構成されている。駆動要素４０は、圧縮ばね５０が復元され、駆動要素４０が第２方向に回転させられたとき、フライホイール２０を第２方向に駆動させるように構成されている。【選択図】図１
2021505420.tif 000002
【特許請求の範囲】
【請求項１】
フライホイール（２０）に駆動連結された電気モータ（１０）と、
駆動要素（４０）に駆動連結された出力シャフト３０と、
圧縮ばね（５０）と、を備え、前記電気パルス工具（１００）が、前記フライホイール（２０）を第１及び第２の方向に往復動させるように作動し、前記フライホイール（２０）は、駆動要素（４０）を第１方向に駆動させ前記出力シャフト（３０）にトルクパルスを前記第１方向に提供するように構成され、これによって、前記駆動要素（４０）が前記圧縮ばね（５０）を圧縮し、前記駆動要素（４０）が、前記圧縮ばね（５０）が復元され前記駆動要素（４０）が前記第２方向に回転させられたときに、前記フライホイール（２０）を前記第２方向に駆動するように構成されている、
ことを特徴とする電気パルス工具（１００）。
【請求項２】
前記駆動要素（４０）が、第１のカム面（４１）を備える、
請求項１に記載の電気パルス工具（１００）。
【請求項３】
前記フライホイール（２０）が、第２のカム面（２１）を備える、または前記第２のカム面（２１）に連結されている、
請求項２に記載の電気パルス工具（１００）。
【請求項４】
前記第２のカム面（２１）が円筒形状であり、前記第２のカム面（２１）が前記フライホイール（２０）の一ベース側の内側に配置されている、
請求項３に記載の電気パルス工具（１００）。
【請求項５】
前記第１及び前記第２のカム面（４１、２１）が、前記第１及び前記第２のカム面に当接するボールまたはローラ用の溝を備える、
請求項３または４に記載の電気パルス工具（１００）。
【請求項６】
前記円筒形状のフライホイール（２０）が、前記駆動要素（４０）と前記圧縮ばね（５０）とを包囲する、
請求項４に記載の電気パルス工具（１００）。
【請求項７】
前記圧縮ばね（５０）が、少なくとも１つのディスク状ばねによって形成されている、
請求項１ないし６のいずれか１項に記載の電気パルス工具（１００）。
【請求項８】
前記第１方向のトルクパルスが、前記第２方向のトルクパルスよりも高い値である、
請求項１ないし７のいずれか１項に記載の電気パルス工具（１００）。
【請求項９】
前記フライホイール（２０）と前記駆動要素（４０）とが、前記第２方向よりも前記第１方向により高い電気モータ（１０）へのねじれ抵抗を提供するように構成されている、
請求項１ないし８のいずれか１項に記載の電気パルス工具（１００）。
【請求項１０】
前記電気パルス工具が、前記第２方向の各パルスの後に、前記フライホイール（２０）を前記第１方向に加速させるように更に作動する、
請求項１ないし９のいずれか１項に記載の電気パルス工具（１００）。
【請求項１１】
前記電気パルス工具（１００）が、前記第２方向の各パルスの後に、前記フライホイール（２０）を前記第１方向に加速させ、前記第１方向の各パルスの後に前記フライホイール（２０）を前記第２方向に加速させるように、更に作動する、
請求項１０に記載の電気パルス工具（１００）。
【請求項１２】
前記駆動要素（４０）が、前記電気パルス工具（１００）の出力シャフト（３０）に軸方向に配置されている、
請求項１ないし１１のいずれか１項に記載の電気パルス工具（１００）。
【請求項１３】
前記ロータ（１０）の回転速度を測定するように構成されたセンサを更に備える、
請求項１ないし１２のいずれか１項に記載の電気パルス工具（１００）。
【請求項１４】
前記フライホイール（２０）は、前記フライホイール（２０）と前記駆動要素（４０）とが第１の相対位置にあるとき、前記駆動要素（４０）を前記第１方向に駆動するように構成され、前記駆動要素（４０）は、前記駆動要素（４０）と前記フライホイール（２０）とが第２の相対ポジションにあるとき、前記フライホイール（２０）を前記第２方向に駆動するように構成されている、
請求項１ないし１３のいずれか１項に記載の電気パルス工具（１００）。
【発明の詳細な説明】
【技術分野】
【０００１】
本開示は、電気パルス工具に関する。
【背景技術】
【０００２】
ボルト、ねじ、ナットを締め付けることのできる電気工具が、多くの異なる用途で使用されている。これらの用途の大部分では、クランプ力または少なくとも関連したトルクを制御することを可能にすることが望まれたり、求められている。
【０００３】
電気工具、特にハンドル付き電気工具、を使用する際に遭遇する問題は、オペレータが反力を受けることである。オペレータに伝わる反力を減らす１つの方法は、パルスされた状態で電気モータを駆動する一連のエネルギーパルスを供給されるパルス電気モータを使用することである。エネルギーは、典型的には、電流パルスとして供給することができる。このようにして、オペレータが対処する必要のある反力を減らすことができる。この方法の欠点は、高い往復動である。
【０００４】
反力を減らすもう１つの方法は、慣性質量を加速させ、クラッチ手段で慣性質量をワークピースに係合することである。クラッチ手段の１つのタイプは、機械的クラッチである。これらのタイプの工具は、しばしば、インパクトレンチと称される。インパクトレンチに関する１つの問題は、残念ながらクラッチの係合と係合解除が、騒音と摩耗をもたらすことである。
【０００５】
インパクトレンチに関するもう１つの問題は、トルクインパクトパルスが極めて短い時間であるために、ジョイントに伝えられるトルクを制御し、測定することが不可能なことである。
【０００６】
もう１つのタイプのクラッチ手段は、油圧クラッチである。これらのタイプの工具は、しばしば、パルス工具と称される。既存の機械的クラッチより、作動中は静かであるが、パルス工具は、油圧流体の損失限界に対する感度も高い。パルス工具のもう１つの問題は、パルスユニット内での高いエネルギー損失である。
【０００７】
国際公開第９８５３９６０号公報は、回転可能な共振往復動体と、往復動体を回転摩擦セットワークピースに連結する二重剛体ばねとを有する共振往復動質量体ベースの工具を開示している。しかしながら、この工具に関する問題は、ばねの設計が、弾性的に湾曲されるべき４つの「フィンガ」で構成されていることである。フィンガが非常に大きく、非常に重いもので作られない場合、数千回の締め付けの後に、これらが壊れてしまうと考えられることである。この種の工具に対する要件は、故障しないで度々の２５０，０００回以上の締め付けが可能なことである。
【０００８】
電動工具の作動を改良する要望が常に存在しているので、改良された電動工具への需要が存在する。
【先行技術文献】
【特許文献】
【０００９】
【特許文献１】国際公開第９８５３９６０号公報
【発明の概要】
【発明が解決しようとする課題】
【００１０】
本発明の目的は、よりエネルギー効率的であり、容易に製造でき、機能不全の少ない改良された電気パルス工具を提供することである。
【課題を解決するための手段】
【００１１】
本目的は、本開示の第１形態に従ってフライホイールに駆動連結された電気モータを備えた電気パルス工具によって達成される。電気パルス工具は、更に、駆動要素に駆動連結された出力シャフトを備える。また、電気パルス工具は、圧縮ばねも備え、それにより第１及び第２方向との間をフライホイールを往復動させるように電気パルス工具を動かす。フライホイールは、第１方向に駆動要素を駆動し、出力シャフトへトルクパルスを第１方向に提供し、それによって駆動要素が圧縮ばねを圧縮するように構成されている。駆動要素は、圧縮ばねが復元し駆動要素を第２方向に回転させたときに、第２方向のフライホイールを駆動させるように構成されている。
【発明の効果】
【００１２】
本開示の例示の実施形態の１つの利点は、電気パルス工具が、例えば油圧パルス工具よりもかなり高いエネルギー効率を有することである。これは、数ある中の電気パルス工具が、パルスユニットに摩擦を引き起こすどのガスケットも保有せず、バウンシング動作の間、ばね内でエネルギーが再利用されるからである。
【００１３】
本発明を、非限定的な例示及び添付の図面を用いて、より詳細に説明する。
【図面の簡単な説明】
【００１４】
【図１】図１は、例示の実施形態による電気パルス工具１００を通る長手方向の断面を示す。
【図２】図２は、電気パルス工具１００の例示の実施形態の分解図を示す。
【発明を実施するための形態】
【００１５】
以下に、電気パルス工具を説明する。図では、同一の引用番号が、いくつかの図にわたって同一の、または対応する要素を指し示す。これらの図は、単に図示を目的とし、本発明の範囲を限定するものではないことは認められるだろう。また、特定の実施のニーズを満たすため、説明された異なる実施形態の特徴を組み合わせることも可能である。
【００１６】
図１は、本開示による電気パルス工具１００の例示の実施形態を示す。電気パルス工具１００は、スクリュージョイントのような締め具を締め付けるためにトルクを伝える締め付け動作または電気パルス工具１００によって行われる回転作用を伴う同様の動作を行うように構成されている。この目的のため、電気パルス工具１００は、ロータ１１とステータ１２とを有する電気モータ１０を備える。電気パルス工具１００は、第１方向及び第２方向の両方に電気モータ１０を回転させることができるように作動可能である。
【００１７】
電気パルス工具１００は、更に、電気モータ１０に駆動連結されたフライホイール２０を備える。更に加えて、電気パルス工具１００は、駆動要素４０を備え、出力シャフトがこの駆動要素４０に駆動連結されている。電気パルス工具１００は、圧縮ばね５０を更に備える。電気パルス工具１００は、フライホイール２０を第１及び第２方向の間を往復動させるように作動する。フライホイール２０は、駆動要素４０を第１の方向に駆動させ、出力シャフト３０にトルクパルスを第１方向に提供するように構成され、これによって駆動要素４０が圧縮ばね５０を圧縮するように構成されている。そして、駆動要素４０は、フライホイール２０を第２方向に駆動させるように構成され、これによって圧縮ばね５０が駆動要素４０を押し出し、圧縮ばね５０が復元される。
【００１８】
まず、電気パルス工具１００がジョイントを締め付けるとき、ロータ１１のトルクは、連続運動でジョイントを止めるのに十分である。必要とされるトルクが、立ち上がり始め、ジョイントを締め続けるのに必要なトルクが、ロータ１１からのトルクを超えたとき、ロータ１１によって加えられたトルクは、連続運動でこれ以上ジョイントを締め続けることはできない。この段階で、電気パルス工具１００は、第１及び第２方向との間でフライホイール２０を往復動させるように作動する。この段階で、フライホイール２０が、第１方向に駆動要素４０を駆動させ、第１方向にトルクパルスを出力シャフト３０に提供し、これによって駆動要素４０が圧縮ばね５０を圧縮する。そして、駆動要素４０は、フライホイール２０を第２方向に駆動させるように構成され、これによって駆動要素４０が圧縮ばね５０を圧縮し、圧縮ばね５０が復元される。
【００１９】
このようにして、ロータ１１によって生じるトルクよりも高いトルクのパルスを提供する出力シャフト３０のパルス作用が得られる。ジョイントは、所望のトルクがジョイントに伝えられるまでパルス出力シャフト３０によって、更に締め付けられることができる。
【００２０】
したがって、フライホイール２０の往復動する質量体を使用して、電気モータ１０の出力トルクを何回も達成することを可能にする。このプロセスでは、いくらかのエネルギーが、電気パルス工具１００の往復動部分から取り除かれる。電気モータ１０が、このエネルギーと付加とを反復往復動に置き換え、往復動が高まり続けるのを可能にする。所望の締め具のトルクが達成されると、電気モータ１０は、フライホイール２０の励起を停止する。
【００２１】
締め付け動作では、電気パルス工具１００は、第２方向より第１方向に高いトルクを提供するように作動する。一実施形態によれば、これは、フライホイール２０と駆動要素４０とが、第２方向よりも第１方向により高い電気モータ１０へのねじれ抵抗を提供するように構成されることによって達成される。これは、電気パルス工具１００が、第２方向よりも第１方向に、より高いトルクを出力シャフト３０に提供するように作動する効果がある。
【００２２】
もう１つの例示の実施形態によれば、電気パルス工具１００は、電気モータ１０が、第２方向と比べて第１方向により高いトルクを提供するように構成されている。電気モータ１０によってもたらされるトルクの差は、即ち、ジョイントが第２方向にゆるむのを防ぐ。
【００２３】
もう１つの例示の実施形態によれば、第２方向が締め付け方向の場合、電気パルス工具１００は、第２の方向の各パルスの後にフライホイール２０を加速させるように作動する。
【００２４】
更にもう１つの例示の実施形態によれば、電気パルス工具１００は、第２方向の各パルスの後、及び第１方向の各パルスの後にフライホイールを加速させるように作動する。この実施形態に関する利点は、（複数の）パルス間の時間が短縮されることである。
【００２５】
本発明の例示の実施形態による利点は、低い反力と低い振動である。本開示の例示の実施形態によるもう１つの利点は、電気パルス工具１００が、制御し易く、より高いトルク精度を示すことができることである。本開示の電気パルス工具１００は、より小さい、より高頻度のトルクパルスで、ジョイントへトルクを加える。これらのより小さいトルクパルスは、付与されるトルクのより細かい制御を可能にし、ジョイント剛性への依存を少なくする。更なる利点は、圧縮ばね５０が復元されたときに圧縮ばね５０に保存されたエネルギーが駆動要素４０を駆動するために使用されるため、高エネルギー効率であることである。油圧パルス工具と比較して、本開示による電気パルス工具は、本開示による電気パルス工具の摩擦損失が少ないことから、はるかにエネルギー効率が良い。
【００２６】
電気パルス工具１００の例示の実施形態の分解図を開示した図２を参照する。図２に示すように、フライホイール２０が、円筒形状であり、第２のカム面２１がフライホイール２０の一ベース側の内側に配置、または連結されている。本実施形態では、円筒形状のフライホイールが、駆動要素４０と圧縮ばね５０とを包囲している。本実施形態では、駆動要素４０が、電気パルス工具１００の出力シャフト３０に軸方向に配置されている。
【００２７】
本例示の実施形態によれば、駆動要素４０は、第１のカム面４１を備え、または第１のカム面４１に連結されている。第１のカム面４１及び第２のカム面２１は、フライホイール２０が、駆動要素４０を駆動、そして出力シャフト３０を第１方向に駆動するように構成されている。第１のカム面４１及び第２のカム面２１は、駆動要素４０が圧縮ばね５０を圧縮するように、更に構成されている。更に、第１のカム面４１及び第２のカム面２１は、圧縮ばね５０が復元され、駆動要素４０を押し出すとき、駆動要素４０がフライホイール２０を第２方向の出力シャフト３０に駆動させるように構成されている。
【００２８】
電気パルス工具１００のもう１つの例示の実施形態では、第１のカム面４１及び第２のカム面２１は、第１のカム面４１及び第２のカム面２１に当接するボールまたはローラ用の溝を備える。グローブは、第２方向よりも第１の方向により急峻な傾斜を有することができる。これは、第２方向のトルクを、次いで第１方向よりも低くするように設計することができ、これによりジョイントが緩まないように作用するため有利である。
【００２９】
傾斜した溝の端部では、ボールが駆動要素４０を押し、フライホイール２０を離し、これにより圧縮ばね５０を圧縮する。
【００３０】
一実施形態によれば、フライホイール２０は、フライホイール２０と駆動要素４０とが第１の相対位置にあるとき、駆動要素４０を、そして出力シャフト３０を第１の方向に駆動するように構成されている。同時に、圧縮ばね５０が圧縮され、いくらかのエネルギーを保存する。本実施形態では、フライホイール２０と駆動要素４０とが第２の相対位置にあるとき、駆動要素４０は、フライホイール２０を、そして出力シャフト３０を第２方向に駆動するように構成されている。
【００３１】
一実施形態では、第１のカム面４１及び第２のカム面２１は、フライホイール２０と駆動要素４０とが第１の相対位置にあるとき、フライホイール２０が、駆動要素４０、そして出力シャフト３０を第１方向に駆動するように構成されている。同時に、圧縮ばね５０が圧縮され、幾らかのエネルギーが保存される。そして、駆動要素４０とフライホイール２０とが第２の相対位置にあるとき、駆動要素４０が、フライホイール２０を、そして出力シャフト３０を第２方向に駆動する。
【００３２】
一実施形態によれば、圧縮ばね５０は、少なくとも１つのディスク状ばね、波状ばね、またはコイル状のばねによって形成される。一実施形態によれば、電気パルス工具１００は、ロータの回転速度を測定するように構成された更なるセンサを備える。更なるもう１つの実施形態では、電気パルス工具１００は、電気パルス工具１００によって行われる作動に関する１つまたは２つ以上のパラメータを監視するためのセンサを更に備える。このようなパラメータは、典型的には、伝えられたトルクパルスなどである。センサは、例えば、１つまたは２つ以上のトルクセンサ、角度センサ、加速度計、ジャイロセンサなどがよい。
【００３３】
電気パルス工具１００は、図示した実施形態では、ピストル型であるハンドル２２を更に備える。しかしながら、本発明は、このような構成に限定されず、電気パルス工具１００のあらゆるタイプに適用され、図１の設計に限定されない。電源２４は、電気モータ１０に連結されている。図示された実施形態では、電源２４は、電気パルス工具１００のハンドルの下方部分に配置することのできるバッテリーである。電力を電気ケーブルを介して電気パルス工具１００に供給する外部電源のような他のタイプの電源も想定される。電気パルス工具１００は、電気モータ１０の動力を制御するために、オペレータによって操作されるように構成されたトリガー２３も備えることができる。
【００３４】
電気パルス工具１００は、更に、電気モータ１１を制御するように構成されたプロセッサ１６を備える。電気パルス工具１０は、更に、プロセッサ１６によって実行可能なインストラクションを保有するメモリ２６を備える。プロセッサ１６は、中央処理装置、ＣＰＵ、デジタル信号処理装置、またはコンピュータプログラムコードを実行することのできる他の適当なタイプのプロセッサである。メモリ２６は、ランダムアクセスメモリ、ＲＡＭ、リードオンリーメモリ、ＲＯＭ、または、磁気メモリ、光学的メモリ、またはソリッドステートメモリの、あるいは外部メモリの単体または組合せのような永続的ストレージである。
【００３５】
本開示は、電気パルス工具１００で実行されたとき、電気パルス工具１０にフライホイール２０を第１方向と第２方向との間で往復動させるコンピュータプログラムをコンピュータ可読記憶媒体に記憶させたコンピュータ可読記憶媒体にも関する。コンピュータプログラムは、電気パルス工具１００内で動かされたとき、更に、本開示で説明された他の例示の説明された実施形態に従って電気パルス工具１０を動かすことになる。
【００３６】
例示の一実施形態によれば、上述のコンピュータプログラムコードは、電気パルス工具１００のプロセッサ１６で実行されたとき、電気パルス工具１０にフライホイール２０を第１と第２方向との間で往復動させ、電気パルス工具１０が、本開示で説明した他の例示の説明された実施形態に従って作動させられる。
【００３７】
したがって、例示の一実施形態によれば、電気パルス工具１００は、プロセッサ１６と、プロセッサ１６によって実行可能なインストラクションを保有するメモリとを備え、これにより、電気パルス工具１０が、フライホイール２０を第１と第２方向との間で往復動させるように作動し、電気パルス工具１０は、本開示で説明した他の例示の説明された実施形態に従って作動する。
【００３８】
一実施形態によれば、本明細書中で説明した電気パルス工具１００のトルク測定は、回転速度、特にロータ１１の第２方向（即ち、締め付ける方向と反対の方向）の最大回転速度の計測によって得ることができる。換言すれば、第２方向の回転速度は、特定の電気パルス工具１００の特定のトルクに対応する。このことは、本明細書中で説明した電気パルス工具１００のバウンシング性能のためジョイントを締め付けたときに、第２方向の回転速度が、ジョイントに導入されたトルクの良好な測定を提供するので、電気パルス工具１００を使用して可能になる。
【図１】
2021505420.tif 000003
【図２】
2021505420.tif 000004
【国際調査報告】
2021505420.tif 000005
2021505420.tif 000006